(57)【要約】    【課題】複数のプロジェクタからの投写画像を投写面上でタイリング投写する場合、画面の書き換え時間が長いことに起因して動画表示特性が低下するのを抑制する。    【解決手段】光源と、水平走査および垂直走査によって投写画像を更新可能な電気光学変調装置と、投写光学系とを有する複数のプロジェクタを有し、前記複数のプロジェクタのそれぞれから投写される複数の投写画像を投写面にタイリング投写して一画面を構成可能なマルチプロジェクションディスプレイであって、前記垂直走査の方向に並ぶ投写画像のうち投写面上において隣接する投写画像を投写する各プロジェクタにおける各電気光学変調装置の前記垂直走査の方向を互いに反対方向とする。【選択図】  図７
2006330329.tif 000002
【特許請求の範囲】
【請求項１】
光源と、水平走査および垂直走査によって投写画像を更新可能な電気光学変調装置と、投写光学系とを有する複数のプロジェクタを有し、前記複数のプロジェクタのそれぞれから投写される複数の投写画像を投写面にタイリング投写して一画面を構成可能なマルチプロジェクションディスプレイであって、
前記垂直走査の方向に並ぶ投写画像のうち隣接する投写画像を投写する各プロジェクタにおける各電気光学変調装置の前記垂直走査の方向が、投写面上において互いに反対方向となるように走査することを特徴とするマルチプロジェクションディスプレイ。
【請求項２】
請求項１に記載のマルチプロジェクションディスプレイにおいて、
前記複数のプロジェクタのそれぞれから投写される複数の投写画像は、投写面上において隣接する投写画像同士が重なり領域を有することを特徴とするマルチプロジェクションディスプレイ。
【請求項３】
請求項１または２に記載のマルチプロジェクションディスプレイにおいて、
前記各プロジェクタにおける各電気光学変調装置の前記垂直走査は、各フレームにおいて前記各プロジェクタ間で同期して行われることを特徴とするマルチプロジェクションディスプレイ。
【請求項４】
請求項１〜３のいずれかに記載のマルチプロジェクションディスプレイにおいて、
前記隣接する投写画像を投写する各プロジェクタは、ともに正立設置されることを特徴とするマルチプロジェクションディスプレイ。
【請求項５】
請求項１〜３のいずれかに記載のマルチプロジェクションディスプレイにおいて、
前記隣接する投写画像を投写する各プロジェクタは、一方のプロジェクタが上下反転設置されることを特徴とするマルチプロジェクションディスプレイ。
【請求項６】
請求項５に記載のマルチプロジェクションディスプレイにおいて、
前記上下反転設置されたプロジェクタは、天吊投写モードでの投写を行うことを特徴とするマルチプロジェクションディスプレイ。
【請求項７】
請求項５に記載のマルチプロジェクションディスプレイにおいて、
前記上下反転設置されたプロジェクタに対しては、上下反転された画像データを外部から与え、前記上下反転設置されたプロジェクタは、非天吊投写モードでの投写を行うことを特徴とするマルチプロジェクションディスプレイ。
【請求項８】
請求項５〜７のいずれかに記載のマルチプロジェクションディスプレイにおいて、
前記各プロジェクタは、前記投写光学系のレンズシフト機能を有し、前記一方のプロジェクタが上下反転設置されることにより生じる前記各プロジェクタの投写光学系の水平方向または垂直方向の位置の違いによる投写画像のずれを、前記投写光学系のレンズシフト機能により調整可能とすることを特徴とするマルチプロジェクションディスプレイ。
【請求項９】
光源と、水平走査および垂直走査によって投写画像を更新可能な電気光学変調装置と、投写光学系とを有する複数のプロジェクタを有し、前記複数のプロジェクタのそれぞれから投写される複数の投写画像を投写面にタイリング投写して一画面を構成可能なマルチプロジェクションディスプレイにおける画像データの走査方法であって、
前記垂直走査の方向に並ぶ投写画像のうち隣接する投写画像を投写する各プロジェクタにおける各電気光学変調装置の前記垂直走査の方向が、投写面上において互いに反対方向となるように走査することを特徴とするマルチプロジェクションディスプレイにおける画像データの走査方法。
【発明の詳細な説明】
【技術分野】
【０００１】
本発明は、マルチプロジェクションディスプレイおよびマルチプロジェクションディスプレイにおける画像データの走査方法に関する。
【背景技術】
【０００２】
複数台のプロジェクタのそれぞれから投写される複数の投写画像をスクリーンにタイリング投写して大画面を構成することのできるマルチプロジェクションディスプレイが知られている。このようなマルチプロジェクションディスプレイにおいては、各プロジェクタが同時に走査を開始して画像を表示した場合、表示画像中で物体が高速で移動するシーンなどにおいて、垂直走査方向に沿った方向に隣接する投写画像間の繋ぎ目の部分で表示のずれが発生するという問題がある（たとえば、特許文献１参照。）。
【０００３】
図２２は、マルチプロジェクションディスプレイにおける問題点を示す図である。図２２（ａ）は、全体としての投写画像で表示されるべき画像データを示し、図２２（ｂ）、（ｃ）、（ｄ）は、全体としての投写画像が、個々のプロジェクタが投写する画面を縦に２画面、横に２画面の計４画面分を配置したことにより構成されている状態を示している。なお、図２２中、矢印は画面内において物体が移動する方向を示している。
【０００４】
上記のようなマルチプロジェクションディスプレイにおいては、図２２（ａ）に示すような１フレーム分の画像データの走査に対して、上半分の投写画像に関する走査と下半分の投写画像に関する走査を同期して行う（各プロジェクタの走査のタイミングを何らかの手法により一致させる）と、図２２（ｂ）に示すように、上下の繋ぎ目の部分Ａで表示のずれが発生するという問題が生じる。これは、上下の繋ぎ目の部分Ａの表示に１垂直走査期間分の時間差があるためである。
【０００５】
これに対して、特許文献１に記載された第１のマルチスクリーンディスプレイシステムにおいては、下側の投写画像に関する画像データを上側の投写画像に関する画像データに対して、その走査開始タイミングを１垂直走査期間分遅らせることとしている。このため、特許文献１に記載された第１のマルチスクリーンディスプレイシステムによれば、図２２（ｃ）に示すように、上下の繋ぎ目の部分Ａにおける表示のずれの発生を解消することが可能になる。
【０００６】
しかしながら、特許文献１に記載された第１のマルチスクリーンディスプレイシステムの技術を、複数のプロジェクタを用い、それらの投写画像を隣接する投写画像間で互いに重なり領域を有するようにタイリング投写して大画面を構成するマルチプロジェクションディスプレイに適用した場合には、上下方向で互いに隣接する投写画像の重なり領域において、その重なり領域の幅に対応する時間ずれが発生し、図２２（ｄ）に示すように、重なり領域において表示のずれが発生する。
【０００７】
これに対して、特許文献１に記載された第２のマルチプロジェクションディスプレイにおいては、下方の画像データを単純に１垂直走査期間分シフトさせるのではなく、上下方向で互いに隣接する投写画像の重なり領域の幅に対応して上下の投写画像に関する画像データの走査のタイミングを時間的にシフトさせることとしている。このため、特許文献１に記載された第２のマルチプロジェクションディスプレイによれば、図２２（ｄ）に示すような、上下の投写画像間の重なり領域における表示ずれを解消することが可能になる。
【０００８】
【特許文献１】特開２００１−２２２２６９号公報
【発明の開示】
【発明が解決しようとする課題】
【０００９】
しかしながら、上記した特許文献１に記載された第２のマルチプロジェクションディスプレイにおいては、下側の投写画像に対する画像データを上側の投写画像に対する画像データに対して約１垂直走査期間分遅らせることとしているため、画面全体を上端から下端まで書き換えるのに約２垂直走査期間分の時間がかかってしまい、表示される画像データの状態によっては動画表示特性が低下するという問題があった。
なお、画面全体を上端から下端まで書き換えるのに必要な時間は、投写画像を上下方向に３段並べてタイリング投写する場合には約３垂直走査期間分であり、投写画像を上下方向に４段並べてタイリング投写する場合には約４垂直走査期間分である。従って、この問題はプロジェクタの台数を増やせば増やすほど大きな問題となる。
【００１０】
本発明は、このような問題を解決するためになされたもので、複数のプロジェクタからの投写画像をタイリング投写する場合、画面の書き換え時間が長いことに起因して動画表示特性が低下するのを抑制することが可能なマルチプロジェクションディスプレイおよびマルチプロジェクションディスプレイにおける画像データの走査方法を提供すること目的とする。
【課題を解決するための手段】
【００１１】
（１）本発明のマルチプロジェクションディスプレイは、光源と、水平走査および垂直走査によって投写画像を更新可能な電気光学変調装置と、投写光学系とを有する複数のプロジェクタを有し、前記複数のプロジェクタのそれぞれから投写される複数の投写画像を投写面にタイリング投写して一画面を構成可能なマルチプロジェクションディスプレイであって、前記垂直走査の方向に並ぶ投写画像のうち隣接する投写画像を投写する各プロジェクタにおける各電気光学変調装置の前記垂直走査の方向が、投写面上において互いに反対方向となるように走査することを特徴とする。
【００１２】
本来の設置の仕方で横長画像を投写可能な汎用のプロジェクタを複数用いて、たとえば上下方向に隣接する投写画像を投写する場合、各プロジェクタにおける電気光学変調装置の垂直走査の方向は上から下方向となるのが一般的である。これに対して、本発明に係るマルチプロジェクションディスプレイでは、上段の投写画像を投写するプロジェクタにおいては、電気光学変調装置の垂直走査の方向をたとえば上から下方向とし、下段の投写画像を投写するプロジェクタにおいては、電気光学変調装置の垂直走査の方向を下から上方向とする。その逆も可であることは勿論である。
【００１３】
このように、本発明のマルチプロジェクションディスプレイによれば、垂直走査の方向に並ぶ投写画像のうち隣接する投写画像を投写する各プロジェクタにおける電気光学変調装置の垂直走査の方向を互いに反対方向とすることにより、１垂直走査期間内でタイリング投写画像全体の表示が可能となり、画面の書き換え時間が長いことに起因して動画表示特性が低下するのを抑制することができる。また、本発明のマルチプロジェクションディスプレイは、マルチプロジェクションディスプレイを構成するプロジェクタの台数が増えた場合でも、前記した効果を得ることができることも大きな特徴である。
【００１４】
なお、前記した「垂直走査の方向に並ぶ投写画像」というのは、垂直走査の方向（以下では垂直走査方向という）の逆方向に並ぶ投写画像をも含むものである。たとえば、自身のプロジェクタにおける電気光学変調装置の垂直走査方向が上から下方向である場合には、自身が投写する投写画像の下側に並ぶ他のプロジェクタの投写画像だけではなく、自身が投写する投写画像の上側に並ぶ他のプロジェクタの投写画像をも含むものである。これは、投写画像が左右方向に並ぶ場合にも同様である。
【００１５】
また、本発明のマルチプロジェクションディスプレイは、複数のプロジェクタにより縦長画像を横並びで投写することにより、より少ないプロジェクタで所望とする高解像度の横長画面を構成することもできる。このようなマルチプロジェクションディスプレイは、本来の設置の仕方で横長画像を投写可能な汎用のプロジェクタを、本来の設置状態に対して９０度回転させた状態で設置することによって実現可能となる。
【００１６】
このように、マルチプロジェクションディスプレイを構成する複数のプロジェクタを本来の設置状態に対して９０度回転させた状態とすると、各プロジェクタの電気光学変調装置の前記垂直走査方向は左右方向となる。したがって、この場合、垂直走査方向を隣接する投写画像を投写するプロジェクタで反対方向とするということは、左右方向に隣接する投写画像を投写する２つのプロジェクタのうち、左側の投写画像を投写するプロジェクタにおいては、電気光学変調装置の垂直走査方向をたとえば左から右方向とし、右側の投写画像を投写するプロジェクタにおいては、電気光学変調装置の垂直走査方向を右から左方向とすることである。なお、その逆も可であることは勿論である。このようなマルチプロジェクションディスプレイにおいても、隣接する投写画像を投写する各プロジェクタにおける電気光学変調装置の垂直走査方向を互いに反対方向とすることにより、前記同様の効果が得られる。
【００１７】
また、本発明のマルチプロジェクションディスプレイによれば、元の画像データの垂直走査周波数で電気光学変調装置を駆動すればよく、必ずしも、高い応答速度を有する電気光学変調装置を用いる必要がないということも効果の１つとして挙げられる。
【００１８】
（２）前記（１）に記載のマルチプロジェクションディスプレイにおいては、前記複数のプロジェクタのそれぞれから投写される複数の投写画像は、投写面上において隣接する投写画像同士が重なり領域を有するものであってもよい。
このように、隣接する投写画像同士が重なり領域を有する場合、隣接する投写画像を投写する各プロジェクタにおける電気光学変調装置の垂直走査方向を互いに反対方向とすることにより、隣接する２つの投写画像の重なり領域における走査をほぼ同じタイミングで行うことができる。
【００１９】
（３）前記（１）に記載のマルチプロジェクションディスプレイにおいては、前記各プロジェクタにおける各電気光学変調装置の前記垂直走査は、各フレームにおいて前記各プロジェクタ間で同期して行われることが好ましい。
このような走査を行うことにより、隣接する投写画像を投写するプロジェクタ間において画像データの走査を同じタイミングで行うことができる。特に、重なり領域において同じ画像データがほぼ同じタイミングで走査されるので、時間ずれのない高品質な画像となる。さらに、各プロジェクタにおける走査の開始タイミングが一致してさえいればいいので、特許文献１に記載されたマルチプロジェクションディスプレイで述べられているような画像データを時間的にシフトさせる手段が不要となり、また、時間シフト量を得るために、投写された画像全体を撮影して重なり部の幅に関する情報を取得する手段も不要となる。
【００２０】
（４）前記（１）〜（３）のいずれかに記載のマルチプロジェクションディスプレイにおいては、前記隣接する投写画像を投写する各プロジェクタは、ともに正立設置されることが可能である。
このように、隣接する投写画像を投写する各プロジェクタをともに正立設置する場合には、隣接する投写画像を投写する２つのプロジェクタのうちの一方のプロジェクタにおける電気光学変調装置の垂直走査方向を反対方向とすることによって、（１）に記載のマルチプロジェクションディスプレイを実現できる。なお、正立設置とは、本発明においては、プロジェクタを本来の設置の仕方で設置した状態、すなわち、プロジェクタの底面側をラックなどの設置台の上面側に対向させて設置した状態を指すものとする。
【００２１】
（５）前記（１）〜（３）のいずれかに記載のマルチプロジェクションディスプレイにおいては、前記隣接する投写画像を投写する各プロジェクタは、一方のプロジェクタが上下反転設置されることも可能である。
これは、垂直走査方向に沿った方向に隣接する投写画像を投写するプロジェクタのうちの一方のプロジェクタをたとえば天吊状態とし、他方を正立設置状態で使用する場合であり、このような設置の仕方によっても（１）に記載のマルチプロジェクションディスプレイを実現できる。また、マルチプロジェクションディスプレイを構成する複数のプロジェクタにおいて、正立設置させるプロジェクタと反転設置させるプロジェクタとを組み合わせることで、プロジェクタの設置に必要なスペースを小さくできる効果も得られる。
【００２２】
（６）前記（５）に記載のマルチプロジェクションディスプレイにおいては、前記上下反転設置されたプロジェクタは、天吊投写モードでの投写を行うことが好ましい。
このように、上下反転設置されたプロジェクタを天吊投写モードで投写することにより、各プロジェクタにおける電気光学変調装置の垂直走査方向を変えることなく容易に（１）に記載のマルチプロジェクションディスプレイを実現できる。
【００２３】
（７）前記（５）に記載のマルチプロジェクションディスプレイにおいては、前記上下反転設置されたプロジェクタに対しては、上下反転された画像データを外部から与え、前記上下反転設置されたプロジェクタは、非天吊投写モードでの投写を行うこともまた好ましい。
これは、たとえば、プロジェクタに対して画像データを出力する画像データ出力装置（スキャンコンバータやパーソナルコンピュータなど）側で、画像データを上下反転させた画像を生成して、その上下反転させた画像を前記上下反転設置されたプロジェクタに与えるものである。これによって、該上下反転設置されたプロジェクタでは、天吊モードではない通常の投写モードで投写を行うことで（１）に記載のマルチプロジェクションディスプレイを実現できる。
【００２４】
（８）前記（５）〜（７）のいずれかに記載のマルチプロジェクションディスプレイにおいては、前記各プロジェクタは、前記投写光学系のレンズシフト機能を有し、前記一方のプロジェクタが上下反転設置されることにより生じる前記各プロジェクタの投写光学系の水平方向または垂直方向の位置の違いによる投写画像のずれを、前記投写光学系のレンズシフト機能により調整可能とすることが好ましい。
一方のプロジェクタを上下反転設置すると、隣接する投写画像間に水平ないし垂直方向のずれが生じる場合があるが、レンズシフト機能を用いて投写画像の位置の調整を行うことにより、このずれを適切に補正することができる。
【００２５】
（９）本発明のマルチプロジェクションディスプレイにおける画像データの走査方法は、光源と、水平走査および垂直走査によって投写画像を更新可能な電気光学変調装置と、投写光学系とを有する複数のプロジェクタを有し、前記複数のプロジェクタのそれぞれから投写される複数の投写画像を投写面にタイリング投写して一画面を構成可能なマルチプロジェクションディスプレイにおける画像データの走査方法であって、前記垂直走査の方向に並ぶ投写画像のうち隣接する投写画像を投写する各プロジェクタにおける各電気光学変調装置の前記垂直走査の方向が、投写面上において互いに反対方向となるように走査することを特徴とする。
【００２６】
このような画像データの走査方法を採用することにより、前記（１）に記載のマルチプロジェクションディスプレイを実現することができる。なお、この（９）に記載のマルチプロジェクションディスプレイおいても、前記（２）〜（８）に記載のマルチプロジェクションディスプレイと同様の特徴を有することが好ましい。
【発明を実施するための最良の形態】
【００２７】
以下、本発明の実施の形態について説明する。
[実施形態１]
図１は実施形態１に係るマルチプロジェクションディスプレイの概略的な外観構成を示す図である。図１に示すマルチプロジェクションディスプレイは、上下方向に２台、左右方向に２台の合計４台のプロジェクタＰＪ１〜ＰＪ４を用い、隣接する投写画像間で重なり領域を有して、投写面としてのスクリーンＳＣＲ上にタイリング投写を行う例である。
【００２８】
図２は図１のマルチプロジェクションディスプレイにおいて上下方向の１組のプロジェクタＰＪ１，ＰＪ２とその投写画像Ｇ１，Ｇ２を取り出して示す図である。なお、実施形態１では、この上下方向の１組のプロジェクタＰＪ１，ＰＪ２について説明する。
【００２９】
図２に示すように、プロジェクタＰＪ１，ＰＪ２による投写画像間には重なり領域が設けられている。各プロジェクタＰＪ１，ＰＪ２の電気光学変調装置（本発明の各実施形態では液晶変調装置であるとする）は、水平１２８０画素×垂直７２０画素の解像度を有するものであるとし、これは、他のプロジェクタＰＪ３，ＰＪ４も同様であるとする。
【００３０】
図３は実施形態１に係るマルチプロジェクションディスプレイにおける画像データ出力装置１０の構成を示す図である。画像データ出力装置１０としては、たとえば、パーソナルコンピュータやビデオディスクプレーヤ、スキャンコンバータなどの映像機器を用いることができる。
【００３１】
画像データ出力装置１０は、たとえばＤＶＤ（Digital Versatile Disc）などから画像データの入力が可能な画像データ入力部１１、復号処理や各プロジェクタＰＪ１，ＰＪ２が投写すべき投写画像領域を示す表示位置情報Ｓ１，Ｓ２の生成処理など、各種の画像データ処理を行う画像データ処理部１２、入力された画像データに含まれる時間情報に基づいて、各プロジェクタＰＪ１，ＰＪ２での表示を同期させるための同期信号を生成する同期制御部１３、画像データ（同期信号を含む）を各プロジェクタに出力する画像データ出力部１４、画像データ処理部１２で生成された表示位置情報Ｓ１，Ｓ２などの外部機器制御情報を出力する外部機器制御情報出力部１５を有している。
また、画像データ処理部１２は画像データ処理を行うに必要な記憶領域としての画像データ記憶部１２１を有している。
【００３２】
画像データ出力装置１０は、画像データ出力部１４が画像データ分配機能を有し、複数台のプロジェクタ（実施形態１においては２台のプロジェクタＰＪ１，ＰＪ２としている）に対して同一の画像データを出力する。
【００３３】
また、画像データ出力装置１０は、上述したように、各プロジェクタＰＪ１，ＰＪ２が投写すべき投写画像領域を示す表示位置情報Ｓ１，Ｓ２を画像データ処理部１２で生成して各プロジェクタＰＪ１，ＰＪ２に出力する機能を有するが、各プロジェクタＰＪ１，ＰＪ２側で自身の投写すべき投写画像領域を予め設定しておくことも可能であり、その場合には、画像データ出力装置１０から表示位置情報Ｓ１，Ｓ２の生成およびその表示位置情報Ｓ１，Ｓ２の各プロジェクタへの出力処理は不要となる。
【００３４】
図４は各プロジェクタの構成を説明する図である。図４ではプロジェクタＰＪ１について説明を行うが、他のプロジェクタも同様の構成を有している。
【００３５】
図４に示すように、プロジェクタＰＪ１は、画像データ出力装置１０からの画像データ（同期信号を含む）を入力可能な画像データ入力部３１、表示位置情報（プロジェクタＰＪ１に対しては表示位置情報Ｓ１とする）など自身を制御するに必要な機器制御情報を入力可能な機器制御情報入力部３２、画像データ処理部３３、画像データに含まれる同期信号に基づいて各プロジェクタでの表示を同期させる同期制御部３４、電気光学変調装置としての液晶変調装置３６、液晶変調装置３６を駆動する液晶変調装置駆動部３５、光源３７、光源３７を駆動する光源駆動部３８、光源３７からの光を液晶変調装置３６に導くための光学系３９、液晶変調装置３６からの画像光を投写画像としてスクリーンＳＣＲ（図４では図示せず）上に投写する投写光学系４０を有している。なお、画像データ処理部３３は画像データ処理を行うに必要な記憶領域としての画像データ記憶部３３１を有している。
【００３６】
画像データ処理部３３は、機器制御情報入力部３２に入力された表示位置情報Ｓ１に基づいて、画像データ入力部３１に入力された画像データから自身が投写すべき画像データを切り出す処理（クロッピング処理）を行う機能を有する。また、画像データ処理部３３は、切り出した画像データの拡大・縮小処理（スケーリング処理）、キーストーン補正などの形状変換処理、ガンマ補正処理、色むら補正処理、色調補正処理、ＩＰ変換処理、エッジブレンディング処理などを行う機能をも有している。
【００３７】
図５は各プロジェクタＰＪ１，ＰＪ２の液晶変調装置３６を説明する図である。なお、３板式のプロジェクタである場合には、赤（Ｒ）、緑（Ｇ）、青（Ｂ）に対応したそれぞれの液晶変調装置が存在するが、本発明の各実施形態では、赤（Ｒ）、緑（Ｇ）、青（Ｂ）に対応したそれぞれの液晶変調装置を総称して液晶変調装置３６として説明する。
【００３８】
液晶変調装置３６は、図５に示すように、走査線ドライバ５１とデータ線ドライバ５２を有し、走査線ドライバ５１からは、７２０画素に対応する走査線ＬＧ１，ＬＧ２，・・・，ＬＧ７２０が左右方向に配列され、データ線ドライバ５２からは、１２８０画素に対応するデータ線ＬＤ１，ＬＤ２，・・・，ＬＤ１２８０が上下方向に配列されている。
【００３９】
図６は実施形態１に係るマルチプロジェクションディスプレイにおける画像データの走査を行うための走査信号（ゲート信号という）を示す図である。図６（ａ）は、上段の投写画像を投写するプロジェクタＰＪ１の液晶変調装置３６のゲート信号を示す図である。図６（ａ）に示すように、プロジェクタＰＪ１の液晶変調装置３６は、各フレームにおいて、走査線ドライバ５１からのゲート信号が、ゲート信号ＶＧ１，ＶＧ２，・・・，ＶＧ７２０の順で走査線ＬＧ１，ＬＧ２，・・・，ＬＧ７２０に順次出力される。
【００４０】
図６（ｂ）は、下段の投写画像を投写するプロジェクタＰＪ２の液晶変調装置３６のゲート信号を示す図である。図６（ｂ）に示すように、プロジェクタＰＪ２の液晶変調装置３６は、各フレームにおいて、走査線ドライバ５１からのゲート信号が、ゲート信号ＶＧ７２０，ＶＧ７１９，・・・，ＶＧ１の順で走査線ＬＧ７２０，ＬＧ７１９，・・・，ＬＧ１に順次出力される。
【００４１】
図７は図６に示すゲート信号による液晶変調装置３６の垂直走査方向を示す図である。
図７（ａ）は、プロジェクタＰＪ１における液晶変調装置３６の垂直走査方向を示す図であり、プロジェクタＰＪ１においては、図６（ａ）に示すゲート信号ＶＧ１，ＶＧ２，・・・，ＶＧ７２０によって画像データが走査されて行くので、液晶変調装置３６の垂直走査方向は、白抜き矢印Ｙ方向となる。
【００４２】
図７（ｂ）は、プロジェクタＰＪ２における液晶変調装置３６の垂直走査方向を示す図であり、プロジェクタＰＪ２においては、図６（ｂ）に示すゲート信号ＶＧ７２０，ＶＧ７１９，・・・，ＶＧ１によって画像データが走査されて行くので、液晶変調装置３６の垂直走査方向は、白抜き矢印Ｙ’方向となる。
【００４３】
図８はプロジェクタＰＪ１，ＰＪ２のそれぞれの投写画像Ｇ１，Ｇ２を示す図である。図８（ａ）は、プロジェクタＰＪ１で投写される投写画像、図８（ｂ）は、プロジェクタＰＪ２で投写される投写画像であり、図８（ｃ）は、スクリーンＳＣＲ上での２つのプロジェクタＰＪ１，ＰＪ２による投写画像を示している。なお、図８（ｃ）における破線で示す矢印Ｙ，Ｙ’は各プロジェクタＰＪ１，ＰＪ２における液晶変調装置３６の垂直走査方向を示している。
【００４４】
２台のプロジェクタＰＪ１，ＰＪ２は、画像データとともに入力された同期信号によりフレームロックした状態で図６に示すゲート信号による走査が行われる。このため、プロジェクタＰＪ１における投写画像Ｇ１の位置Ａ１からの画像データの走査と、プロジェクタＰＪ２における投写画像Ｇ２の位置Ｂ１からの画像データの走査は同じタイミングで行われる。
【００４５】
これにより、プロジェクタＰＪ１の投写画像Ｇ１とプロジェクタＰＪ２の投写画像Ｇ２との重なり領域（投写画像Ｇ１のＡ２〜Ａ３領域、投写画像Ｇ２のＢ２〜Ｂ３領域）は、同一の画像データとなる。ただし、投写画像Ｇ１のＡ２〜Ａ３領域および投写画像Ｇ２のＢ２〜Ｂ３領域において、それぞれの画像データに対してエッジブレンディング処理などを施す場合には、厳密に言えば輝度値などが異なる場合もある。
また、１垂直走査期間内で全てのプロジェクタにおいて画像データの走査がなされるので、隣接する投写画像Ｇ１，Ｇ２で異なるフレームを表示するということがなくなる。
【００４６】
なお、図８（ｃ）において、位置Ａ２の走査線に対応する画像の走査と位置Ｂ３の走査線に対応する画像の走査および位置Ａ３の走査線に対応する画像の走査と位置Ｂ２の走査線に対応する画像の走査は、１フレーム内においてそれぞれ最大の時間差を生じる。しかしその時間差は、重なり領域が個々のプロジェクタの投写画面全体の領域の１０％であるとすれば、１垂直走査期間の１／１０となる。これは、重なり領域を小さくすることで、より小さな値とすることができる。
【００４７】
このように、実施形態１に係るマルチプロジェクションディスプレイによれば、上下方向に並ぶ投写画像のうち、隣接する投写画像を投写する各プロジェクタＰＪ１，ＰＪ２における各液晶変調装置３６のスクリーンＳＣＲにおける垂直走査方向を互いに反対方向とすることにより、隣接する２つの投写画像の重なり領域における走査をほぼ同じタイミングで行うことができる。
【００４８】
また、実施形態１に係るマルチプロジェクションディスプレイによれば、１垂直走査期間内でタイリング投写画像全体の表示が可能となり、画面の書き換え時間が長いことに起因して動画表示特性が低下するのを抑制することができる。
また、実施形態１に係るマルチプロジェクションディスプレイによれば、元の画像データの垂直走査周波数で電気光学変調装置を駆動すればよく、必ずしも、高い応答速度を有する電気光学変調装置を用いる必要がないということも効果の１つとして挙げられる。
【００４９】
また、実施形態１におけるマルチプロジェクションディスプレイにおいては、投写画像が上下方向に上下２段である場合について説明したが、投写画像が上下方向に３段以上である場合にも、それぞれ隣接する投写画像を投写するプロジェクタの各液晶変調装置の垂直走査方向を互いに反対方向とすることで対応することができる。
【００５０】
たとえば、３台のプロジェクタ（プロジェクタＰＪ１，ＰＪ２，ＰＪ３とする）によって上下方向に３段の投写画像Ｇ１，Ｇ２，Ｇ３が投写される場合には、図９に示すように、プロジェクタＰＪ１における液晶変調装置３６の垂直走査方向を矢印Ｙ方向、プロジェクタＰＪ２における液晶変調装置の垂直走査方向を矢印Ｙ’方向、プロジェクタＰＪ３における液晶変調装置の垂直走査方向を矢印Ｙ方向とする。
【００５１】
このような走査は、プロジェクタＰＪ１はゲート信号ＶＧ１，ＶＧ２，・・・，ＶＧ７２０の順で走査を行い、プロジェクタＰＪ２はゲート信号ＶＧ７２０，ＶＧ７１９，・・・，ＶＧ１の順で走査を行い、プロジェクタＰＪ３はゲート信号ＶＧ１，ＶＧ２，・・・，ＶＧ７２０の順で走査を行うことで実現できる。
このように、マルチプロジェクションディスプレイを構成するプロジェクタの台数が増えても前述した効果が損なわれるものではない。
【００５２】
[実施形態２]
実施形態２に係るマルチプロジェクションディスプレイは、上下方向に隣接する投写画像を投写する２つのプロジェクタのうち、一方のプロジェクタを上下反転設置させて投写を行う。このとき、反転設置させたプロジェクタでは、たとえば、天吊投写機能を利用した投写、すなわち、天吊モードによる投写を行う。これによって、上下方向に並ぶ投写画像のうち隣接する投写画像を投写する各プロジェクタにおける各液晶変調装置の垂直走査方向を互いに反対方向とするものである。
【００５３】
なお、実施形態２に係るマルチプロジェクションディスプレイにおいても実施形態１と同様、図２に示すように、上下方向の１組のプロジェクタＰＪ１，ＰＪ２について説明する。
【００５４】
また、実施形態２に係るマルチプロジェクションディスプレイにおける画像データ出力装置は、図３で示した画像データ出力装置１０の構成を用いることができ、プロジェクタＰＪ１，ＰＪ２の構成は、図４で示した構成を用いることができるので、実施形態２に係るマルチプロジェクションディスプレイとしての画像データ出力装置および各プロジェクタＰＪ１，ＰＪ２の構成についての図示は省略する。なお、実施形態２に係るマルチプロジェクションディスプレイとしての画像データ出力装置も画像データ出力装置１０として説明する。
【００５５】
図１０は実施形態２に係るマルチプロジェクションディスプレイにおけるプロジェクタＰＪ１，ＰＪ２の配置を説明する図である。図１０に示すように、プロジェクタＰＪ１は上下反転設置させて天吊状態として用い、プロジェクタＰＪ２は正立設置させる。
【００５６】
そして、プロジェクタＰＪ１は天吊投写機能を利用した投写を行う。したがって、プロジェクタＰＪ１は、その画像データ処理部３３（図４参照）において、画像データを１８０度回転させる処理を行い、その１８０度回転した画像データをゲート信号ＶＧ１，ＶＧ２，・・・，ＶＧ７２０によって液晶変調装置３６に書き込む。
【００５７】
図１１は図１０のように配置されたプロジェクタＰＪ１，ＰＪ２の各液晶変調装置３６を示す図である。実施形態２に係るマルチプロジェクションディスプレイにおいては、プロジェクタＰＪ１が上下反転設置されているので、図１１（ａ）に示すように液晶変調装置３６もプロジェクタＰＪ２の液晶変調装置３６（図１１（ｂ）参照）に対して１８０度回転した状態となっている。
【００５８】
図１１（ａ），（ｂ）における白抜き矢印Ｙ’，Ｙは、それぞれの液晶変調装置３６の垂直走査方向を示している。プロジェクタＰＪ１側では、図１１（ａ）に示すように、液晶変調装置３６上において、下から上方向（白抜き矢印Ｙ’方向）に垂直走査がなされる。一方、プロジェクタＰＪ２側では、図１１（ｂ）に示すように、液晶変調装置３６上において、上から下方向（白抜き矢印Ｙ方向）に垂直走査がなされる。
【００５９】
図１２は図１１（ａ），（ｂ）に示す垂直走査を行う際のゲート信号を示す図である。図１２（ａ）は、プロジェクタＰＪ１側における液晶変調装置３６のゲート信号を示す図である。図１２（ａ）に示すように、プロジェクタＰＪ１の液晶変調装置３６においては、各フレームにおいて、走査線ドライバ５１からのゲート信号がゲート信号ＶＧ１，ＶＧ２，・・・，ＶＧ７２０の順で走査線ＬＧ１，ＬＧ２，・・・，ＬＧ７２０に順次出力される。
【００６０】
図１２（ｂ）は、プロジェクタＰＪ２側における液晶変調装置３６のゲート信号を示す図である。図１２（ａ）に示すように、プロジェクタＰＪ２の液晶変調装置３６においても、各フレームにおいて、走査線ドライバ５１からのゲート信号は、ゲート信号ＶＧ１，ＶＧ２，・・・，ＶＧ７２０の順で走査線ＬＧ１，ＬＧ２，・・・，ＬＧ７２０に順次出力される。
【００６１】
図１０のように配置されたプロジェクタＰＪ１，ＰＪ２において、図１２（ａ），（ｂ）に示すゲート信号による垂直走査がなされることにより、プロジェクタＰＪ１，ＰＪ２の各液晶変調装置３６上では、図１１（ａ），（ｂ）に示すような垂直走査方向で、かつ、同じタイミングで画像データを走査することができる。
【００６２】
これを実施形態１の説明で用いた図８（ｃ）により説明する。すなわち、図１２に示すゲート信号により図１１のような垂直走査がなされた場合は、図８（ｃ）におけるプロジェクタＰＪ１における投写画像Ｇ１の位置Ａ３からの画像データの走査と、プロジェクタＰＪ２における投写画像Ｇ２の位置Ｂ３からの画像データの走査は同じタイミングで行われる。
なお、このときの垂直走査方向は、投写画像Ｇ１，Ｇ２のそれぞれにおいて、図８（ｃ）に示す破線矢印Ｙ，Ｙ’とはそれぞれ反対方向となる。すなわち、投写画像Ｇ１においては矢印Ｙ’方向、投写画像Ｇ２においては矢印Ｙ方向の垂直走査となる。
【００６３】
プロジェクタＰＪ１，ＰＪ２を図１０のような配置とした場合も、プロジェクタＰＪ１の投写画像Ｇ１とプロジェクタＰＪ１の投写画像Ｇ２との重なり領域（投写画像Ｇ１のＡ２〜Ａ３領域、投写画像Ｇ２のＢ２〜Ｂ３領域）は、実施形態１で説明したと同様に時間的にほぼ同一の画像データとなり、また、ほぼ同じタイミングで走査がなされ、実施形態１のマルチプロジェクションディスプレイと同様の効果が得られる。
【００６４】
また、図１０の例では、プロジェクタＰＪ１を上下反転設置、プロジェクタＰＪ２を正立設置させて、プロジェクタＰＪ１側では天吊投写機能を利用した走査を行うようにしたが、その逆も可能であることは勿論である。
【００６５】
図１３はプロジェクタＰＪ１を正立設置、プロジェクタＰＪ２側を上下反転設置させた配置例を示す図である。この図１３に示す配置の場合、プロジェクタＰＪ２側で天吊投写機能を利用した投写を行うようにすれば、各プロジェクタＰＪ１，ＰＪ２における各液晶変調装置の垂直走査方向を互いに反対方向とすることができる。
【００６６】
また、画像データ出力装置１０側の画像データ処理部１２にて、一方のプロジェクタで投写すべき画像データを１８０度回転させた画像データを生成し、その１８０度回転させた画像データを一方のプロジェクタ（たとえばプロジェクタＰＪ２）に与え、そのプロジェクタＰＪ２を図１３に示すように反転設置させるようにしても、プロジェクタＰＪ１，ＰＪ２の垂直走査方向を互いに反対方向とすることができる。この場合、プロジェクタＰＪ２側では、すでに１８０度反転した画像データが与えられるので、プロジェクタＰＪ２側の画像データ処理部３３にて画像データを１８０度回転させる処理を行う必要はなく、単に、プロジェクタＰＪ２を反転設置させるだけでよい。
【００６７】
この場合、プロジェクタＰＪ１側においては、その液晶変調装置３６の垂直走査方向は上から下方向であり、プロジェクタＰＪ２側においては、その液晶変調装置３６の垂直走査方向は下から上方向である。このような走査を行うことによっても、図８（ｃ）で説明したように、プロジェクタＰＪ１における投写画像Ｇ１の位置Ａ１からの画像データの走査、プロジェクタＰＪ２における投写画像Ｇ２の位置Ｂ１からの画像データの走査は同じタイミングで行われるので、実施形態１に係るマルチプロジェクションディスプレイと同様の効果が得られる。
【００６８】
この他、画像データ出力装置１０における画像データ処理部１２での画像データの上下反転処理や回転処理、プロジェクタ側の天吊投写機能、背面投写機能、プロジェクタ自体の上下反転設置などを組み合わせることによっても、上段側の投写画像を投写するプロジェクタにおける液晶変調装置の垂直走査方向と下段側の投写画像を投写するプロジェクタにおける液晶変調装置の垂直走査方向とを反対方向とすることが可能となる。
【００６９】
なお、図１３のような設置の仕方とすることにより、２台のプロジェクタＰＪ１，ＰＪ２を近接配置することができるので、マルチプロジェクションディスプレイを構成する複数のプロジェクタの設置スペースを小さくすることができる。
【００７０】
また、各プロジェクタにレンズシフト機能として知られている投写画像の平行移動機能を持たせることも可能である。たとえば、一方のプロジェクタを上下反転設置すると、隣接する投写画像間に水平ないし垂直方向のずれが生じる場合があるが、レンズシフト機能を用いて調整を行うことにより、この投写画像のずれを適切に補正することができる。このようなレンズシフト機能を持たせることにより、プロジェクタの設置の自由度をさらに高めることができる。
【００７１】
[実施形態３]
実施形態３に係るマルチプロジェクションディスプレイは、マルチプロジェクションディスプレイを構成する複数のプロジェクタをそれぞれの投写画像が縦長となるように設置して高輝度・高解像度画面を実現可能とするものである。ここでは、水平１９２０×垂直１０８０の解像度を有するフルハイビジョン規格の画像を３台のプロジェクタＰＪ１，ＰＪ２，ＰＪ３を用いて実現する場合について説明する。
【００７２】
また、実施形態３に係るマルチプロジェクションディスプレイに用いられる個々のプロジェクタＰＪ１，ＰＪ２，ＰＪ３は、水平１２８０×垂直７２０の解像度を有し、本来の設置の仕方で投写した場合には横長の投写画像をスクリーンＳＣＲ上に形成するものであるとする。
【００７３】
なお、実施形態３に係るマルチプロジェクションディスプレイにおける画像データ出力装置は、図３で示した画像データ出力装置１０の構成を用いることができ、プロジェクタＰＪ１，ＰＪ２の構成は、図４で示した構成を用いることができるので、実施形態３に係るマルチプロジェクションディスプレイとしての画像データ出力装置および各プロジェクタＰＪ１，ＰＪ２の構成についての図示は省略する。なお、実施形態３に係るマルチプロジェクションディスプレイとしての画像データ出力装置も画像データ出力装置１０として説明する。
【００７４】
図１４は実施形態３に係るマルチプロジェクションディスプレイの概略的な外観構成を示す図である。実施形態３に係るマルチプロジェクションディスプレイは、図１４に示すように、３台のプロジェクタＰＪ１，ＰＪ２，ＰＪ３を有している。
【００７５】
そして、これら３台のプロジェクタＰＪ１，ＰＪ２，ＰＪ３は、それぞれの投写画像が縦長となるように、横長の投写画像を投写する本来の設置の仕方に対して９０度回転させた設置状態（以下では縦置設置と呼ぶことにする）で設置される。また、各プロジェクタＰＪ１，ＰＪ２，ＰＪ３からの縦長の投写画像がスクリーンＳＣＲ上で所定の重なり領域を有するように各プロジェクタＰＪ１，ＰＪ２，ＰＪ３が設置されるものとする。
【００７６】
図１５は実施形態３に係るマルチプロジェクションディスプレイを構成する各プロジェクタＰＪ１，ＰＪ２，ＰＪ３の液晶変調装置３６を説明する図である。
図１５（ａ）は水平１９２０画素×垂直１０８０画素の投写画像と、各プロジェクタＰＪ１，ＰＪ２，ＰＪ３を縦置設置した場合のそれぞれの画像形成領域（各プロジェクタＰＪ１，ＰＪ２，ＰＪ３の画像形成領域をＧＡ１，ＧＡ２，ＧＡ３で表すものとする）との関係を示すものである。ドットバイドットで表現するためには、画像形成領域ＧＡ１とＧＡ２、およびＧＡ２とＧＡ３の間にはそれぞれ左右方向に１２０画素分の重なり領域が設けられており、ＧＡ１，ＧＡ２，ＧＡ３のそれぞれの上下１００画素分は常に黒色などで塗りつぶされた画像データを各プロジェクタに入力する。
【００７７】
また、図１５（ｂ）はプロジェクタＰＪ１，ＰＪ２，ＰＪ３（ここではプロジェクタＰＪ１のみについて説明する）を縦置設置したときの液晶変調装置３６を示す図である。プロジェクタＰＪ１を縦置設置して用いると、図１５（ｂ）に示すように、走査線ドライバ５１からの７２０画素に対応するそれぞれの走査線ＬＧ１，ＬＧ２，・・・，ＬＧ７２０は、左右方向に配列された状態となり、データ線ドライバ５２からの１２８０画素に対応するそれぞれのデータ線ＬＤ１，ＬＤ２，・・・，ＬＤ１２８０は、上下方向に配列された状態となる。
【００７８】
図１６は実施形態３に係るマルチプロジェクションディスプレイにおける画像データの各プロジェクタＰＪ１，ＰＪ２，ＰＪ３の液晶変調装置３６への走査を説明する図である。
実施形態３に係るマルチプロジェクションディスプレイは、各プロジェクタＰＪ１，ＰＪ２，ＰＪ３を縦置設置とすると、各プロジェクタＰＪ１，ＰＪ２，ＰＪ３の液晶変調装置３６の垂直走査方向は左右方向となる。このため、左右方向に並ぶ画像データの走査タイミングが問題となる。そこで、実施形態３に係るマルチプロジェクションディスプレイにおいては、左右方向に並ぶプロジェクタＰＪ１，ＰＪ２，ＰＪ３は、それぞれの液晶変調装置３６上で、たとえば、図１６（ａ）〜（ｃ）のような垂直走査により画像データの走査を行うようにする。
【００７９】
図１６（ａ）は、プロジェクタＰＪ１の液晶変調装置３６の垂直走査方向を示しており、左から右方向（白抜き矢印Ｘ方向）に垂直走査を行う。図１６（ｂ）は、プロジェクタＰＪ２の液晶変調装置の垂直走査方向を示しており、右から左方向（白抜き矢印Ｘ’方向）に垂直走査を行う。図１６（ｃ）は、プロジェクタＰＪ３の液晶変調装置３６の垂直走査方向を示しており、左から右方向（白抜き矢印Ｘ方向）に垂直走査を行う。
【００８０】
なお、プロジェクタＰＪ１において、図１６（ａ）のような画像データの走査を行う際のゲート信号は、実施形態１の説明で用いた図６（ａ）に示すようなゲート信号となる。すなわち、各フレームにおいて、ゲート信号がゲート信号ＶＧ１，ＶＧ２，・・・，ＶＧ７２０の順で走査線ＬＧ１，ＬＧ２，・・・，ＬＧ７２０に順次出力されることによって、図１６（ａ）に示すような垂直走査が可能となる。また、プロジェクタＰＪ３もプロジェクタＰＪ１と同様の垂直走査となる。
【００８１】
一方、プロジェクタＰＪ２において、図１６（ｂ）のような画像データの走査を行う際のゲート信号は、同じく実施形態１の説明で用いた図６（ｂ）に示すようなゲート信号となる。すなわち、各フレームにおいて、ゲート信号がゲート信号ＶＧ７２０，ＶＧ７１９，・・・，ＶＧ１の順で走査線ＬＧ７２０，ＬＧ７１９，・・・，ＬＧ１に順次出力されることによって、図１６（ｂ）に示すような垂直走査が可能となる。
【００８２】
図１７は３つのプロジェクタＰＪ１，ＰＪ２，ＰＪ３のスクリーンＳＣＲ上における投写画像Ｇ１，Ｇ２，Ｇ３を示す図である。図１７において、白抜き矢印Ｘ，Ｘ’は垂直走査方向を示すもので、図１７に示すように、それぞれ隣接するプロジェクタ間では垂直走査方向が反対方向となっている。
【００８３】
この実施形態３に係るマルチプロジェクションディスプレイのように、各プロジェクタを縦置設置として投写を行う場合にも、それぞれの液晶変調装置３６の垂直走査を隣接する投写画像を投写するプロジェクタ間で反対方向とすることにより、実施形態１で説明したと同様の効果を得ることができる。
【００８４】
すなわち、図１７において２台のプロジェクタＰＪ１，ＰＪ２について見れば、プロジェクタＰＪ１における投写画像Ｇ１の位置Ａ１からの画像データの走査と、プロジェクタＰＪ２における投写画像Ｇ２の位置Ｂ１からの画像データの走査は同じタイミングで行われる。
【００８５】
これによって、プロジェクタＰＪ１の投写画像Ｇ１とプロジェクタＰＪ２の投写画像Ｇ２との重なり領域（投写画像Ｇ１のＡ２〜Ａ３領域、投写画像Ｇ２のＢ２〜Ｂ３領域）は、時間的にほぼ同一の画像データとなる。ただし、前述したように投写画像Ｇ１のＡ２〜Ａ３領域および投写画像Ｇ２のＢ２〜Ｂ３領域において、それぞれの画像データのエッジブレンディング処理などを施す場合には、厳密に言えば輝度値などが異なる場合もある。また、１垂直走査期間内で全てのプロジェクタにおいて画像データの走査がなされるので、隣接する投写画像Ｇ１，Ｇ２で異なるフレームを表示するということがなくなる。
【００８６】
なお、図１７において、位置Ａ２の走査線に対応する画像の走査と位置Ｂ３の走査線に対応する画像の走査および位置Ａ３の走査線に対応する画像の走査と位置Ｂ２の走査線に対応する画像の走査は、１フレーム内においてそれぞれ最大の時間差を生じる。しかし、その時間差は重なり領域が１０％であるとすれば、１垂直走査に要する時間の１／１０となる。これは、重なり領域を小さくすることで、より小さな値とすることができる。また、図１７において、投写画像Ｇ２と投写画像Ｇ３との間においても同様に考えることができる。
【００８７】
また、各プロジェクタの投写画像を縦長とする場合、本来の設置の仕方で縦長画像を投写可能なプロジェクタを用いることも可能である。
図１８は本来の設置の仕方で水平７２０画素×垂直１２８０画素の縦長の投写画像を投写可能なプロジェクタの液晶変調装置３６を示す図である。このような液晶変調装置３６を有するプロジェクタは、縦置設置することなく、本来の設置の仕方で縦長の投写画像をスクリーンＳＣＲ上に形成可能となる。
【００８８】
図１８に示す液晶変調装置３６は、走査線ドライバ５１からの１２８０画素に対応するそれぞれの走査線ＬＧ１，ＬＧ２，・・・，ＬＧ１２８０が左右方向に配列され、データ線ドライバ５２からの７２０画素に対応するそれぞれのデータ線ＬＤ１，ＬＤ２，・・・，ＬＤ７２０が上下方向に配列されている。
【００８９】
この図１８に示す液晶変調装置３６において、走査線ドライバ５１からのゲート信号が、ゲート信号ＶＧ１，ＶＧ２，・・・，ＶＧ１２８０の順で走査線ＬＧ１，ＬＧ２，・・・，ＬＧ１２８０に順次出力されるとすれば、垂直走査方向は図示の白抜き矢印Ｙ方向となる。
【００９０】
このような液晶変調装置３６を有したプロジェクタを、たとえば、上下方向にｍ台、左右方向にｎ台並べて横長画面を構成する場合、または、上下方向のみにｍ台並べて縦長画面を構成する場合は、液晶変調装置３６の垂直走査方向が上下方向となる。このため、実施形態１および実施形態２と同様、上下方向に並ぶ画像データの走査タイミングが問題となる。
【００９１】
そこで、実施形態１および実施形態２で説明したと同様に、上下方向に並ぶ複数の投写画像において、それぞれ隣接する投写画像を投写する各プロジェクタにおける各液晶変調装置３６の垂直走査方向を互いに反対方向とすれば、実施形態１および実施形態２と同様の効果を得ることができる。
【００９２】
ところで、上述した各実施形態においては、エッジブレンディング処理については述べなかったが、ここで、エッジブレンディング処理について図１９により簡単に説明する。
【００９３】
図１９（ａ）はエッジブレンディング処理を行わない場合である。図１９（ａ）に示すように、エッジブレンディング処理を行わないと、たとえば、２台のプロジェクタＰＪ１，ＰＪ２からの投写画像のスクリーンＳＣＲ上での重なり領域における輝度値が他の領域に比べて大きくなる。
【００９４】
一方、図１９（ｂ）は、投写光の光路上に光量の調節が可能な遮光板６０を設置することでエッジブレンディング処理を行った場合である。図１９（ｂ）に示すように、エッジブレンディング処理を行うと、２台のプロジェクタＰＪ１，ＰＪ２からの投写画像のスクリーンＳＣＲ上での重なり領域における輝度値が他の領域に比べて大きくなるのを防止することができる。
【００９５】
なお、このエッジブレンディング処理は、図１９（ｂ）のように遮光板６０を用いることで行うことも可能であるが、各プロジェクタが投写表示する重なり領域に対して画像データ処理を行うことによっても可能である。
【００９６】
画像データ処理によってエッジブレンディング処理を行う場合は、これまでの各実施形態では、プロジェクタＰＪ１，ＰＪ２側の画像データ処理部３３で重なり領域の輝度値を制御する処理を行うことによって実現できる。
【００９７】
なお、本発明はこれまで説明した各実施形態に限られるものではなく、本発明の要旨を逸脱しない範囲で種々変形実施可能となるものである。たとえば、画像データ出力装置１０は、図３で示した構成に限られるものではなく、図２０、図２１のような構成とすることも可能である。なお、図２０に示す画像データ出力装置を画像データ出力装置１０１、図２１に示す画像データ出力装置を画像データ出力装置１０２とする。
【００９８】
画像データ出力装置１０１は、複数のプロジェクタ（この場合もプロジェクタＰＪ１，ＰＪ２とする）で投写すべき画像データを生成して、該生成した画像データを対応するプロジェクタＰＪ１，ＰＪ２に個別に送出する機能を有している点が図３で示した画像データ出力装置１０と異なる。
【００９９】
このため、画像データ出力装置１０１は、入力された画像データからプロジェクタＰＪ１，ＰＪ２が投写すべき画像データを切り出すクロッピング処理機能を有し、また、クロッピング処理によって切り出された各プロジェクタＰＪ１，ＰＪ２ごとの画像データを、各プロジェクタＰＪ１，ＰＪ２に個別に送出する機能を有する。このように、画像データ出力装置１０１側でクロッピング処理を行うので、各プロジェクタＰＪ１，ＰＪ２に対して表示位置情報Ｓ１，Ｓ２を送る必要はなくなる。
【０１００】
図２０は画像データ出力装置１０１の構成を示す図である。図２０に示すように、画像データ出力装置１０１は、図３で示した画像データ出力装置１０に対して、各プロジェクタＰＪ１，ＰＪ２に対応する画像データ出力部１４１，１４２を有している。また、画像データ出力装置１０１は、画像データ出力装置１０１側でクロッピング処理を行うので、各プロジェクタＰＪ１，ＰＪ２に対して表示位置情報Ｓ１，Ｓ２を送る必要はなくなる。したがって、図３で示した外部機器制御情報出力部１５は、図２０においては図示が省略されている。その他の構成としては、図３と同様、画像データ入力部１１、画像データ処理部１２、同期制御部１３を有している。
【０１０１】
また、画像データ出力装置１０１の画像データ処理部１２は、復号処理、ＩＰ変換処理、クロッピング処理、スケーリング処理、エッジブレンディング処理などを行う機能を有している。
【０１０２】
画像データ出力装置１０１がこのような機能を有することによって、各プロジェクタＰＪ１，ＰＪ２では、画像データ処理部３３においてクロッピング処理を行う必要がなくなる。なお、各プロジェクタＰＪ１，ＰＪ２の画像データ処理部３３では、キーストーンなどの形状変換処理、ガンマ補正処理、色むら補正処理、色調補正処理などを行う機能を有しており、必要に応じてこれらの処理を選択的に行う。
【０１０３】
図３で示した画像データ出力装置１０を図２０の画像データ出力装置１０１のような構成とすることによっても、実施形態１〜３で説明したように、隣接する投写画像を投写するプロジェクタおける液晶変調装置３６の垂直走査方向を互いに反対方向とすることができる。
【０１０４】
図２１は画像データ出力装置１０２の構成を示す図である。画像データ出力装置１０２は、各プロジェクタＰＪ１，ＰＪ２に対応した画像データ出力装置（これを画像データ出力装置１０２Ａ，１０２Ｂとする）を有している。
【０１０５】
なお、これら各画像データ出力装置１０２Ａ，１０２Ｂには、共通の画像データが入力される。この画像データはたとえば共通のＤＶＤなどから各画像データ出力装置１０２Ａ，１０２Ｂに直接与えるようにしてもよいが、これら各画像データ出力装置１０２Ａ，１０２Ｂとは別の画像データ出力装置（パーソナルコンピュータなど）から与えるようにしてもよい。図２１では画像データを別の画像データ出力装置２００から与える例が示されている。
【０１０６】
画像データ出力装置１０２Ａ，１０２Ｂは、図２０で示した画像データ出力装置１０１と同様、入力された画像データからプロジェクタＰＪ１，ＰＪ２が投写すべき画像データを切り出すクロッピング処理機能を有し、また、クロッピング処理によって切り出されたた各プロジェクタＰＪ１，ＰＪ２ごとの画像データを、各プロジェクタＰＪ１，ＰＪ２に個別に送出する機能を有する。
【０１０７】
このように、各画像データ出力装置１０２Ａ，１０２Ｂ側でクロッピング処理を行うので、各プロジェクタＰＪ１，ＰＪ２に対して表示位置情報Ｓ１，Ｓ２を送る必要はなくなる。したがって、図２０に示す画像データ出力装置１０１と同様、図３で示した外部機器制御情報出力部１５は、図２１においては図示が省略されている。
【０１０８】
また、画像データ出力装置１０２Ａ，１０２Ｂは、外部同期信号を入力する外部同期信号入力部１６を有する。これにより、同期制御部１３は外部同期信号入力部１６に入力された外部同期信号により各プロジェクタＰＪ１，ＰＪ２で表示を同期させるための同期信号を生成する。なお、図２１の例では、外部同期信号は画像データ出力装置２００から各画像データ出力装置１０２Ａ，１０２Ｂに与えられる例が示されている。
【０１０９】
また、画像データ出力装置１０２Ａ，１０２Ｂの画像データ処理部１２は、復号処理、ＩＰ変換処理、クロッピング処理、スケーリング処理、エッジブレンディング処理などを行う機能を有している。
【０１１０】
画像データ出力装置１０２Ａ，１０２Ｂがこのような機能を有することによって、各プロジェクタＰＪ１，ＰＪ２では、画像データ処理部３３においてクロッピング処理を行う必要がなくなる。なお、各プロジェクタＰＪ１，ＰＪ２の画像データ処理部３３では、キーストーンなどの形状変換処理、ガンマ補正処理、色むら補正処理、色調補正処理などを行う機能を有しており、必要に応じてこれらの処理を選択的に行う。
【０１１１】
図３で示した画像データ出力装置１０を図２１の画像データ出力装置１０２、すなわち、各プロジェクタＰＪ１，ＰＪ２に対応した画像データ出力装置１０２Ａ，１０２Ｂとして構成することによっても、実施形態１〜３で説明したように、隣接する投写画像を投写するプロジェクタおける液晶変調装置３６の垂直走査方向を互いに反対方向とすることができる。
【０１１２】
なお、これまで説明した画像データ出力装置１０、画像データ出力装置１０１および画像データ出力装置１０２Ａ，１０２Ｂの画像データ処理部１２と、プロジェクタ側の画像データ処理部３３とが行う処理内容の切り分けは、前述した内容に限られるものではなく、状況に応じて適宜変更可能である。たとえば、画像データ出力装置１０、画像データ出力装置１０１および画像データ出力装置１０２Ａ，１０２Ｂ側の画像データ処理部１２で殆どの処理を行い、プロジェクタ側の画像データ処理部３３ではごく限られた処理のみを行うといったことも可能であり、また、その逆も可能である。
【０１１３】
また、前述の各実施形態では、投写型のマルチプロジェクションディスプレイについて説明したが、本発明は背面投写型のマルチプロジェクションディスプレイにも適用できることは勿論である。
【０１１４】
また、マルチプロジェクションディスプレイを構成するプロジェクタの台数は、２×２などに限られるものではなく、さらに多くの台数のプロジェクタを用いたマルチプロジェクションディスプレイであってもよい。
【０１１５】
また、実施形態１および実施形態２においては、上下方向１列の複数の投写画像を構成するマルチプロジェクションディスプレイにも適用可能である。
【０１１６】
また、前述の各実施形態において、マルチプロジェクションディスプレイを構成する個々のプロジェクタは、３板式のプロジェクタでなく、１つの液晶変調装置を有する単板式のプロジェクタである場合にも適用可能であり、また、２つ又は４つ以上の液晶装置を有するプロジェクタである場合にも適用可能である。
【０１１７】
また、前述の各実施形態では、各プロジェクタに用いる電気光学変調装置としては、液晶変調装置であるとして説明したが、電気光学変調装置としてはデジタルマイクロミラーデバイスを用いたものであってもよい。
【図面の簡単な説明】
【０１１８】
【図１】実施形態１に係るマルチプロジェクションディスプレイの概略的な外観構成を示す図。
【図２】図１のマルチプロジェクションディスプレイにおいて上下方向の１組のプロジェクタＰＪ１，ＰＪ２とその投写画像Ｇ１，Ｇ２を取り出して示す図。
【図３】実施形態１に係るマルチプロジェクションディスプレイにおける画像データ出力装置１０の構成を示す図。
【図４】プロジェクタの構成を説明する図。
【図５】プロジェクタの液晶変調装置３６を説明する図。
【図６】実施形態１に係るマルチプロジェクションディスプレイにおける画像データの走査を行うためのゲート信号を示す図。
【図７】図６に示すゲート信号による液晶変調装置３６の垂直走査方向を示す図。
【図８】プロジェクタＰＪ１，ＰＪ２のそれぞれの投写画像Ｇ１，Ｇ２を示す図。
【図９】３台のプロジェクタＰＪ１〜ＰＪ３によって上下方向に３段の投写画像が投写される場合の各プロジェクタにおける液晶変調装置の垂直走査方向を示す図。
【図１０】実施形態２に係るマルチプロジェクションディスプレイのプロジェクタＰＪ１，ＰＪ２の配置例を説明する図。
【図１１】図１０のように配置されたプロジェクタＰＪ１，ＰＪ２の各液晶変調装置３６を示す図。
【図１２】図１１に示す走査を行う際のゲート信号を示す図。
【図１３】プロジェクタＰＪ１を正立姿設置させ、プロジェクタＰＪ２を上下反転設置させた配置例を示す図。
【図１４】実施形態３に係るマルチプロジェクションディスプレイの概略的な外観構成を示す図。
【図１５】実施形態３に係るマルチプロジェクションディスプレイを構成する各プロジェクタの液晶変調装置を説明する図。
【図１６】実施形態３に係るマルチプロジェクションディスプレイの画像データの各プロジェクタＰＪ１，ＰＪ２，ＰＪ３における液晶変調装置３６への走査を説明する図。
【図１７】３つのプロジェクタＰＪ１〜ＰＪ３のスクリーンＳＣＲ上における投写画像Ｇ１，Ｇ２，Ｇ３を示す図。
【図１８】本来の設置の仕方（正立設置）で水平７２０画素×垂直１２８０画素の縦長の投写画像を投写可能なプロジェクタの液晶変調装置を示す図。
【図１９】エッジブレンディング処理について説明する図。
【図２０】画像データ出力装置１０の他の構成例としての画像データ出力装置１０１の構成を示す図。
【図２１】画像データ出力装置１０の他の構成例としての画像データ出力装置１０２の構成を示す図。
【図２２】、マルチプロジェクションディスプレイにおける問題点を示す図。
【符号の説明】
【０１１９】
１０，１０１，１０２Ａ，１０２Ｂ・・・画像データ出力装置、３６・・・液晶変調装置、５１・・・走査線ドライバ、５２・・・データ線ドライバ、ＰＪ１，ＰＪ２，ＰＪ３・・・プロジェクタ、ＬＧ１，ＬＧ２，・・・，ＬＧ７２０・・・走査線、ＬＤ１，ＬＤ２，・・・，ＬＤ１２８０・・・データ線、ＶＧ１，ＶＧ２，・・・，ＶＧ７２０・・・ゲート信号、ＳＣＲ・・・スクリーン
【図３】
2006330329.tif 000003
【図４】
2006330329.tif 000004
【図５】
2006330329.tif 000005
【図６】
2006330329.tif 000006
【図７】
2006330329.tif 000007
【図８】
2006330329.tif 000008
【図９】
2006330329.tif 000009
【図１０】
2006330329.tif 000010
【図１１】
2006330329.tif 000011
【図１２】
2006330329.tif 000012
【図１３】
2006330329.tif 000013
【図１６】
2006330329.tif 000014
【図１７】
2006330329.tif 000015
【図１８】
2006330329.tif 000016
【図１９】
2006330329.tif 000017
【図２０】
2006330329.tif 000018
【図２１】
2006330329.tif 000019
【図２２】
2006330329.tif 000020
【図１】
2006330329.tif 000021
【図２】
2006330329.tif 000022
【図１４】
2006330329.tif 000023
【図１５】
2006330329.tif 000024